(57)【要約】本発明は、女性たちが清潔を維持するとともに、膣内の炎症を予防し、マッサージ効果を高めることができる携帯が便利な装置を得るためのものである。膣洗浄装置において、ドーナツ状の本体；前記本体が各単位別に分離されるように形成され、前記本体から分離され、内側面には結合突起が形成され、外部面には水位表示具が形成された半円筒の水筒部；前記結合突起に装着される結合溝が形成された取っ手部；前記半円筒の水筒部と結合され、水筒部の洗浄液を吐出させるために前記水筒部の密着突起口にホースが挿入されて結合されるようにモーターとポンプが装着されたポンピング部；前記ポンピング部と結合され、一定の範囲内で回転可能に形成された回動部と、前記回動部が装着され、洗浄液が供給されるホースと連結される嵌め突起が形成され、前方にはノズル部が装着される挿入口が形成され、内側面にはオン／オフスイッチ、吐出圧力調節機及び作動ランプが形成された制御部とを含むノズル作動部；を含み、膣内に挿入した後、水を吐出させるためのノズル部を装着できるようにノズル作動部を回動させ得る、変形が可能な携帯用機能性膣洗浄及びマッサージ装置を発明したことを特徴とする。【選択図】【図１】
2014530082.tif 000002
【特許請求の範囲】
【請求項１】
膣洗浄装置において、
ドーナツ状の本体；
前記本体が各単位別に分離されるように形成され、前記本体から分離され、内側面には結合突起が形成され、外部面には水位表示具が形成された半円筒の水筒部；
前記結合突起に装着される結合溝が形成された取っ手部；
前記半円筒の水筒部と結合され、水筒部の洗浄液を吐出させるために前記水筒部の密着突起口にホースが挿入されて結合されるようにモーターとポンプが装着されたポンピング部；
前記ポンピング部と結合され、一定の範囲内で回転可能に形成された回動部と、前記回動部が装着され、洗浄液が供給されるホースと連結される嵌め突起が形成され、前方にはノズル部が装着される挿入口が形成され、内側面にはオン／オフスイッチ、吐出圧力調節機及び作動ランプが形成された制御部と、を含むノズル作動部；を含み、膣内に挿入した後、水を吐出させるためのノズル部を装着できるようにノズル作動部を回動させ、突出した構造で形成できるようにしたことを特徴とする携帯用機能性膣洗浄装置。
【請求項２】
前記水筒は、半透明の構造で形成され、内部の洗浄液を見られるように形成され、側面には載置突起と前記載置突起が形成され、上部面にはスライス突起が形成され、上部にはホースが挿入されるように密着突起口が形成されたことを特徴とする、請求項１に記載の携帯用機能性膣洗浄装置。
【請求項３】
前記ポンピング部には、水筒の洗浄液をポンピングできるようにモーターとポンプが装着され、ポンプにはホースと連結ホースが装着され、水筒に結合できるように載置溝が形成され、前記載置溝の上部にはスライス溝が形成されて結合されるように構成したことを特徴とする、請求項１に記載の携帯用機能性膣洗浄装置。
【請求項４】
前記回動部は、ポンピング部を軸にしてノズル作動部が回転可能に構成され；
ポンピング部にはＴ型結合具が形成され、前記Ｔ型結合具がノズル作動部の嵌め溝に嵌められ、前記嵌め溝に嵌められたＴ型結合具は、係止突起に沿って移動できるように結合されたことを特徴とする、請求項１に記載の携帯用機能性膣洗浄装置。
【請求項５】
前記ノズル部には、多数の仕切りまたは螺旋状の仕切りが形成され、前記各仕切り間には排出口が形成され、前記各仕切り間には吐出口が形成されたことを特徴とする、請求項１に記載の携帯用機能性膣洗浄装置。
【請求項６】
前記ノズル作動部は、ケースの内部に形成された嵌め具と、前記嵌め具に装着された嵌め羽根と、左右側面に前記嵌め羽根が形成された折り曲げ構造の振動部と、前記振動部の中央に装着されたゴムリングが挿入された支持台と、前記支持台を振動させるために案内バーと、前記案内バーと連結された偏心軸と、前記偏心軸を回転させるように構成したモーターと、からなることを特徴とする、請求項１に記載の携帯用機能性膣洗浄装置。  
【発明の詳細な説明】
【技術分野】
【０００１】
本発明は、携帯用機能性膣洗浄装置に関し、より詳細には、女性たちが清潔を維持するとともに、膣内の炎症を予防し、マッサージ効果を高めることができる携帯が便利な装置に関する。
【背景技術】
【０００２】
今までは、小さい洗浄水筒内に洗浄水、注射器及びノズルを共に入れて保管しようとしても、長いノズルを注射器と共に入れることができないので、洗浄水と女性膣洗浄器を別々に保管するしかなかった。そのため、使用時ごとに女性膣洗浄器を再び消毒すべきであって煩雑なだけでなく、簡便に携帯することもできなかった。
【０００３】
前記のような問題を解決するために、注射器内筒のクリーニングロッドの中央にトンネルのように大きな穴を掘り込み、その内部にノズルを入れるためのノズル保管室を作り、保管時に小さい洗浄水筒の内部に洗浄水と注射器を共に入れ、注射器内筒のクリーニングロッドのノズル保管室にノズルを入れた後、洗浄水筒のキャップを閉めると簡便に携帯することができ、その結果、常に洗浄水筒内の洗浄水が注射器とノズルを消毒することによって、いつどこでも直ぐ使用できるようにした。
【０００４】
また、本発明の背景となる技術としては、特許第１０―０６３４８３９号の携帯型女性局部洗浄器具がある。前記携帯型女性局部洗浄器具は、女性たちが使用及び携帯するのに不便な構造、すなわち、別途の補助容器内に入れた後、その上に座って洗浄する構造であるので、女性たちが使用しにくく、また、洗浄機のノズルを膣入口に合わせにくいという問題があった。
【発明の概要】
【発明が解決しようとする課題】
【０００５】
本発明は、前記のような問題を解決するためになされたもので、本願出願人は、出願後に登録された特許第１０―１００７８２７号の膣洗浄及びマッサージ装置の問題を補完するために、使用者が容易に使用できるように取っ手が備えられ、この取っ手を手でつかんで直接膣入口に入れることができ、水筒とポンピング部が組み立て式で形成され、操作法と製作が便利な携帯用膣洗浄装置を提供することを目的とする。
【０００６】
本発明の他の目的は、使用の便利のためにドーナツ状の本体から変形が可能な機能性膣洗浄及びマッサージ装置を提供することにある。
【課題を解決するための手段】
【０００７】
本発明の課題の解決手段は、膣洗浄及びマッサージ装置のドーナツ状の本体；前記本体が各単位別に分離されるように形成され、前記本体から分離され、内側面には結合突起が形成され、外部面には水位表示具が形成された半円筒の水筒部；前記結合突起に装着される結合溝が形成された取っ手部；前記半円筒の水筒と結合され、水筒の洗浄液を吐出させるために前記水筒の密着突起口にホースが挿入・結合されるようにモーターとポンプが装着されたポンピング部；及び前記ポンピング部と結合され、一定の範囲内で回転可能に形成された回動部と、前記回動部が装着され、洗浄液が供給されるホースと連結される嵌め突起が形成され、前方にはノズル部が装着される挿入口が形成され、内側面にはオン／オフスイッチ、水圧調節スイッチ及び作動ランプが形成された制御部とを含むノズル作動部；を含み、便利に使用可能な洗浄及びマッサージ器を製作することにある。
【発明の効果】
【０００８】
本発明は、女性たちの悩みを予防し、生活の便宜を提供することによって健康な社会生活を営為可能にし、携帯が簡便であるので、どこでも使用が可能であるという効果を有する。
【０００９】
また、本発明は、女性の局部を清潔に管理することによって疾病への感染を防止し、姙娠後に健康な胎児を出産できるようにし、出産後に生じ得る局部と関連した疾病の治癒を補助できる携帯可能な洗浄器具を提供するという非常に優れた効果を有する。
【図面の簡単な説明】
【００１０】
【図１】本発明の好ましい実施例の携帯用機能性膣洗浄装置を示した斜視図である。
【図２】本発明の携帯用機能性膣洗浄装置を示した作動状態図である。
【図３】本発明の携帯用膣洗浄装置のノズルを示した斜視図である。
【図４】本発明の携帯用膣洗浄装置の他の実施例のノズルを示した斜視図である。
【図５】本発明の携帯用機能性膣洗浄装置の結合斜視図である。
【図６】本発明の携帯用膣洗浄装置を示した分解斜視図である。
【図７】本発明の他の実施例のマッサージ器の装着状態を示した断面図である。
【発明を実施するための形態】
【００１１】
以下では、本発明の好ましい実施例の携帯用機能性膣洗浄及びマッサージ装置を図面を参照して詳細に説明する。
【００１２】
トイレと浴室の概念が複合化され、トイレ文化が定着するとともに、老若男女を問わず健康に対する関心が高まっている。さらに、身体の重要な一部分であって、円滑な機能のために清潔にしなければならない肛門と局部をより清潔に管理するための局部洗浄装置に対する関心が漸次高まっている。
【００１３】
家庭や室内でビデと呼ばれる局部洗浄装置は、洗浄効果を有するだけでなく、肛門及び局部が清潔でないことから発生し得る便秘と痔疾を予防することができ、大人の約５０％が持っている多様な肛門疾患を治療するための医療用装置としても使用される。しかし、このような局部洗浄装置は、多くの人たちが使用するので、使用者が使用を憚るという問題があり、また、便器に装着されたノズルを介して噴出された洗浄液の噴出力のみで洗浄が行われるので、優れた洗浄効果を期待しにくく、特に女性たちが使用を憚るという問題がある。また、使い捨て用として使用されている膣洗浄器は、使用が不便であり、洗浄が効率的に行われないので、清潔に対する満足度が低下する。
【００１４】
図１ないし図７に示した本発明は、膣洗浄及びマッサージ装置において、ドーナツ状の本体；前記本体が各単位別に分離されるように形成され、前記本体から分離され、内側面には結合突起１４０が形成され、外部面には水位表示具１００が形成された半円筒の水筒部１５０；前記結合突起１４０に装着される結合溝３６０が形成された取っ手部３８０；前記半円筒の水筒部１５０と結合され、水筒部の洗浄液を吐出させるために前記水筒部の密着突起口１３０にホース２００が挿入・結合されるようにモーター１９０とポンプ１８０が装着されたポンピング部２１０；前記ポンピング部２１０と結合され、一定の範囲内で回転可能に形成された回動部５００と、前記回動部５００が装着され、洗浄液が供給されるホース２２０と連結される嵌め突起２３０が形成され、前方にはノズル部３５０が装着される挿入口４４０が形成され、内側面にはオン／オフスイッチ２６０、水圧調節機２７０及び作動ランプ２８０が形成された制御部２９０とを含むノズル作動部３００；を含み、膣内に挿入した後、水を吐出させるためのノズル部３５０を装着できるようにノズル作動部３００を回動させ、突出した構造で形成したことを特徴とする。
【００１５】
前記本体が取っ手部３８０、水筒部１５０、ポンピング部２１０及びノズル作動部３００で構成されると、互いにそれぞれ分離と結合が可能になる。
【００１６】
前記本体がドーナツ状から膣内に挿入可能な構造に変更できるようにノズル部３５０を回転させ、ノズル部を装着できるようにし、取っ手部をつかんで膣内にノズル部を用心深く挿入した後、制御部２９０のスイッチを作動すると、ノズル部から洗浄液が吐出される。
【００１７】
前記取っ手部３８０には、手で便利につかめるように貫通口３７０が形成され、前方面に結合溝３６０が形成されている。前記結合溝３６０は、水筒部の内側面に形成された結合突起１４０と結合されて固定される。前記取っ手部３８０を水筒の内側に固定すると、洗浄液の重さを直接感じることができる。
【００１８】
水筒部１５０は、半透明の構造で形成され、内部の洗浄液を見られるように形成され、ポンピング部２１０と結合できるように側面には載置突起１１０が形成され、前記載置突起の上部面にはスライス突起１２０が形成され、上部にはホースが挿入されるように密着突起口１３０が形成される。
【００１９】
前記密着突起口１３０は、ホースが挿入されるように形成され、枠面にゴムパッキンが形成されることによって洗浄液の漏れを防止する。
【００２０】
前記ポンピング部２１０は、一側面は水筒部１５０と結合され、他側面はノズル作動部３００と結合されるように構成される。
【００２１】
前記ポンピング部２１０における水筒部と結合される部分には、水筒部の洗浄液をポンピングできるようにモーター１９０とポンプ１８０が装着され、前記ポンプ１８０に連結されるホース２００と連結ホース２２０がそれぞれ装着され、前記水筒部に結合できるように載置溝１６０が形成され、前記載置溝の上部にはスライス溝１６０が形成されて結合される。スライス溝１４０とスライス突起１２０とが互いに押されて結合される。このとき、密着突起口１３０は密着ホール１７０に密着して結合される。
【００２２】
前記ノズル作動部３００は、ポンピング部２１０とノズル部３５０との結合により、ポンピング部を軸にしてノズル作動部が一定角度まで回転するように回動部５００を構成した。
【００２３】
一実施例において、回動部５００には、ノズル作動部３００に嵌め溝２４０が形成され、嵌め溝２４０の端部から回転可能な位置まで曲面に沿って係止突起２５０が形成される。前記のように形成された回動部５００の中央には、入口が凸状構造の嵌め突起２３０が形成され、この嵌め突起２３０が連結ホース２００に挿入されて結合される。
【００２４】
前記回動部５００は、ポンピング部２１０を軸にしてノズル作動部３００が回転できるように構成され、ポンピング部にはＴ型結合具４９０が形成され、このＴ型結合具４９０がノズル作動部の嵌め溝２４０に嵌められる。そして、前記嵌め溝２４０に嵌められたＴ型結合具４９０は、係止突起２５０に沿って移動できるように結合される。
【００２５】
挿入口４４０は、ノズル作動部に結合され、洗浄液を吐出させるために形成される。挿入口は支持台４３０に形成され、挿入構内にはゴムリングが形成され、このゴムリングによってノズル部の嵌め突起の離脱が防止される。
【００２６】
前記ノズル部３５０には、図３と図４に示した多数の仕切り３３０または螺旋状の仕切り３３０―１が形成され、前記各仕切り間には排出口３２０が形成され、この排出口３２０を介して洗浄液と異物が外部に抜け出るようにした。また、各仕切り間には多数の吐出口３４０が形成され、局部に洗浄液が及ぼすようにしたことを特徴とする。
【００２７】
本発明の他の実施例の図７では、膣内の洗浄作用とマッサージ効果を高めるために振動部を形成した。
【００２８】
ノズル部３５０が結合されるノズル作動部の支持台４３０には、ケース４００の内部に嵌め具４９０が形成される。前記嵌め具４９０には、振動を与えるように嵌め羽根４１０が装着される。
【００２９】
前記左右側面に形成された嵌め具４９０には、嵌め羽根４１０が形成された折り曲げ構造の振動部４２０が装着される。そして、前記振動部４２０の中央に装着されたゴムリングが挿入された支持台４４０と、前記支持台４４０を振動させるための案内バー４５０と、前記案内バーと連結された偏心軸４６０とが装着される。モーター４７０は、前記偏心軸４６０を回転させるように構成されて装着される。
【００３０】
前記モーター４７０が作動すると偏心軸４６０が回転し、前記偏心軸４６０に連結された案内バー４５０が振動部を振動させることによって迅速な速度で回転が行われると、振動部が迅速に振動を起こすようになる。
【００３１】
前記のように振動と洗浄液をノズル部３４０を介して供給することによって、振動による洗浄とマッサージ効果を極大化することができる。
【００３２】
前記のように洗浄及びマッサージを行うと、ノズル部３５０を取り外し、ノズル部に栓３９０を嵌めて固定した後、前記ノズル作動部３００を回転させてドーナツ状の本体に取り戻す。前記のようにノズル作動部を回転させながらノズル部を膣内に挿入し、使用時に作動スイッチであるオン／オフスイッチ２６０、水圧調節スイッチ２７０及び作動ランプ２８０が形成された制御部２９０で水圧と作動時間を調節できるようにした。
【００３３】
以上のように、本発明は、限定された実施例と図面に基づいて説明したが、前記の実施例に限定されるものではなく、本発明の属する分野で通常の知識を有する者であれば、このような記載から多様な修正及び変形が可能である。したがって、本発明の思想は、下記に記載した特許請求の範囲によってのみ把握しなければならなく、その均等または等価的変形はいずれも本発明の思想の範疇に属するものと言えるだろう。
【図１】
2014530082.tif 000003
【図２】
2014530082.tif 000004
【図３】
2014530082.tif 000005
【図４】
2014530082.tif 000006
【図５】
2014530082.tif 000007
【図６】
2014530082.tif 000008
【図７】
2014530082.tif 000009
【国際調査報告】
2014530082.tif 000010
2014530082.tif 000011
2014530082.tif 000012
2014530082.tif 000013